(57)【要約】【課題】コントローラからの指示でカメラの撮影条件設定を行う際に操作性を単純化しつつ多数項目の設定を容易に行い得るカメラシステムを提供する。【解決手段】カメラ２とこのカメラを外部から制御するコントローラ１とからなるカメラシステムにおいて、カメラはコントローラと画像データを含む情報を通信するカメラ通信部３９とコントローラからの指示に従ってカメラを制御するリモート制御部３１ａとを備え、コントローラはカメラと画像データを含む情報を通信する通信部１９とカメラからの画像データに基く画像を表示させる表示部１８とカメラからの画像データのうち選択画像データに関する情報を通信部を介して送信させる撮影条件指示制御部１１ｂとを備え、カメラ通信部はコントローラからの画像データに関する情報を受信し、リモート制御部はカメラ通信部が受信した画像データに関する情報のうち撮影条件データに基いて同一の撮影条件をカメラに設定する。【選択図】図２
2012151901.tif 000002
【特許請求の範囲】
【請求項１】
カメラとこのカメラを外部から制御するコントローラとからなるカメラシステムにおいて、
上記カメラは、上記コントローラとの間で画像データを含む情報を通信するカメラ通信部と、上記コントローラからの指示にしたがって上記カメラを制御するリモート制御部と、
を備え、
上記コントローラは、上記カメラとの間で画像データを含む情報を通信する通信部と、上記カメラから送信された画像データに基く画像を表示させる表示部と、上記カメラから送信された画像データの中から選択された画像データに関する情報を上記通信部を介して送信させる撮影条件指示制御部と、
を備え、
上記カメラ通信部は、上記コントローラから送信された画像データに関する情報を受信し、
上記リモート制御部は、上記カメラ通信部が受信した画像データに関する情報のうち撮影条件データに基いて同一の撮影条件を上記カメラに設定することを特徴とするカメラシステム。
【請求項２】
上記カメラは、上記コントローラへ送信した画像データを記憶するカメラ記憶部を、さらに備え、
上記リモート制御部は、上記画像データに関する情報としてその画像データのファイル名を受信した場合には、上記カメラ記憶部に記憶されている画像データのうち受信した上記ファイル名に対応する画像データに含まれている撮影条件データに基いて同一の撮影条件を上記カメラに設定することを特徴とする請求項１に記載のカメラシステム。
【請求項３】
上記カメラは、上記コントローラに送信した画像データを記憶するカメラ記憶部を、さらに備え、
上記リモート制御部は、上記画像データに関する情報として撮影日時順に付番された画像番号を受信した場合には、上記カメラ記憶部に記憶されている画像データのうち受信した上記画像番号に対応する画像データに含まれている撮影条件データに基づいて同一の撮影条件を上記カメラに設定することを特徴とする請求項１に記載のカメラシステム。
【請求項４】
上記リモート制御部は、上記画像データに関する情報として画像データを受信した場合には、受信した画像データに含まれている撮影条件データに基いて同一の撮影条件を上記カメラに設定することを特徴とする請求項１に記載のカメラシステム。
【請求項５】
上記リモート制御部は、上記画像データに関する情報として撮影条件データを受信した場合には、受信した撮影条件データに基いて同一の撮影条件を上記カメラに設定することを特徴とする請求項１に記載のカメラシステム。
【請求項６】
上記リモート制御部は、受信された画像データが上記カメラによるブラケット撮影又は連写撮影によって得られた画像データである場合には、受信された画像データ以外の画像データを消去することを特徴とする請求項１〜請求項５のうちのいずれか１つに記載のカメラシステム。
【請求項７】
カメラとの間で通信することで画像データを含む情報を取得し、上記カメラを外部から制御するコントローラによるカメラの制御方法において、
上記カメラから送信された画像データのうち特定の画像データを選択し、
上記コントローラから送信された上記選択画像データに関する情報を受信させ、
上記受信された画像データに関する情報に基いて同一の撮影条件を上記カメラに設定させることを特徴とするカメラの制御方法。
【請求項８】
カメラとの間で通信することで画像データを含む情報を取得し、上記カメラを外部から制御するコントローラによるカメラのプログラムにおいて、
上記カメラから送信された画像データのうちから特定の画像データを選択し、
上記コントローラから送信された上記選択画像データに関する情報を受信させるステップと、
上記受信された画像データに関する情報に基いてその画像データの有する撮影条件データに基いて同一の撮影条件となるように上記カメラに設定するステップと、
を含んでなることを特徴とするカメラのプログラム。
【発明の詳細な説明】
【技術分野】
【０００１】
この発明は、カメラシステム及びカメラの制御方法，カメラのプログラム、詳しくはカメラとこのカメラを外部から制御するコントローラとからなるカメラシステムと、このカメラシステムにおけるコントローラによるカメラの制御方法と、この制御方法を実現するカメラのプログラムに関するものである。
【背景技術】
【０００２】
従来、カメラとコントローラとからなるカメラシステムにおいて、外部から遠隔操作によってカメラを動作させて取得したモニタ画像や撮影画像等を表示部にて確認することのできるコントローラと、このコントローラによって外部から制御されるカメラとを組み合わせた形態のカメラシステムのいわゆるリモートコントロールシステムについては、種々の提案がなされ、また実用化されている。
【０００３】
例えば、特開２００６−１７４１６４号公報によって開示されているカメラシステムは、レンズを備えるカメラと、画像表示部やシャッターボタン，ズーム操作ボタン，モード切換ボタン，十字ボタン等の操作部材を備えて構成されるコントローラとによって構成されている。そして、カメラとコントローラとが通信を行うことにより、カメラは、コントローラからの指示信号によって撮影動作等の制御が行われ、モニタ画像データや撮影画像データ等をコントローラへと送信する。また、コントローラは、カメラへ指示信号を送信してカメラを制御し、カメラから送信されたモニタ画像データや撮影画像データを受信して、各画像データに基く画像を表示部に表示させることができるようになっている。この場合において、カメラの操作部材とコントローラの操作部材とが略同様の形態や配置となるように構成したので、カメラを直接操作するのと略同様の操作手順でコントローラを操作することで、カメラを遠隔操作で制御することができるというものである。
【０００４】
また、特開２００３−３３００８９号公報によって開示されているカメラシステムは、コントローラにレリーズスイッチ等の操作部材と表示装置を設けて構成されている。
【０００５】
操作者は、コントローラのレリーズスイッチ等を操作することで遠隔操作によってカメラを制御し、撮影動作等を行うことができるようになっている。この場合において、制御されるカメラは、カメラの状態情報、例えばメモリ残容量やバッテリ容量，撮影可能な画像情報等をコントローラ側に送信するようになっている。そして、コントローラは、受信した状態情報を表示装置に表示するようになっている。これにより、操作者は、撮影動作を行う際に、予めコントローラ側の表示装置でカメラの状態を確認することができるというものである。
【０００６】
そして、特開２００７−１７３９９２号公報によって開示されているカメラシステムは、コントローラから送信される撮影条件データ等を含む撮影要求信号をカメラが受信すると、カメラ側では、受信した撮影条件データに基いてカメラの撮影条件を設定し、受信した撮影要求信号に従って撮影動作を実行させるような制御が行われる。そして、カメラは、撮影動作によって取得した画像データ等をコントローラへ送信するように構成されている。
【０００７】
このように、上記特開２００６−１７４１６４号公報，特開２００３−３３００８９号公報，特開２００７−１７３９９２号公報等によって開示される従来のカメラシステムでは、コントローラから各種の指示信号を送信してカメラを遠隔操作によって制御することができ、コントローラ側の操作で撮影動作等を実行することができ、また、撮影動作に先立って、撮影条件等の設定をコントローラ側から行うことができるようにしたものが種々提案されている。
【特許文献１】特開２００６−１７４１６４号公報
【特許文献２】特開２００３−３３００８９号公報
【特許文献３】特開２００７−１７３９９２号公報
【発明の開示】
【発明が解決しようとする課題】
【０００８】
ところが、例えば一眼レフレックスカメラ等の場合には、撮影条件等についての設定項目が多岐に渡り、かつ個々の撮影条件の項目についても詳細な設定を行うことができるように複雑な制御体系となっているのが普通である。そのために、従来の一眼レフレックスカメラ等において、さまざまな撮影条件等の設定を行うには、多数の操作部材が用意されている。
【０００９】
そこで、このようなカメラに対応するためには、単純に、カメラ側の操作部材と同等の操作部材を、コントローラ側に同様に配設すれば、より多数の設定項目に対応することが可能になるのは当然である。
【００１０】
しかしながら、上述のようなカメラシステムにおいては、コントローラ側に多数の操作部材を配設したとすると、その操作手順が複雑になり操作性を阻害してしまったり、コントローラ自体が大型化してしまうという問題点がある。
【００１１】
一方、コントローラに設ける操作部材を少なくして単純な操作体系を実現すると、カメラの制御機能が制限されてしまうことになり、遠隔操作で制御する際にカメラ側の有する機能に完全に対応することができないことになってしまうという問題点がある。
【００１２】
他方、コントローラに配設する操作部材の数を抑えながら、一眼レフレックスカメラ等の多機能なカメラを制御するためには、コントローラ側のソフトウエアを工夫すれば実現可能になるとも考えられる。しかしながら、その場合には、より複雑なプログラムやＧＵＩ等を考案して構成しなければならないことになる。
【００１３】
さらに、制御対象のカメラが、操作体系の単純なコンパクトタイプのものであっても、コントローラからカメラを制御して各種の撮影条件の詳細な設定を、その都度行わなければならないとすると、極めて面倒で複雑な作業を操作者に強いることになってしまうという問題が生じる可能性もある。
【００１４】
本発明は、上述した点に鑑みてなされたものであって、その目的とするところは、カメラとこのカメラを外部から制御するコントローラとからなるカメラシステムにおいて、コントローラから指示信号を送信することでカメラの撮影条件設定が行われるように制御することができ、さらに、この場合において、コントローラ側の操作性を単純化しながら、多数項目の撮影条件設定を容易に行うことができるように構成されるカメラシステムと、このカメラシステムのコントローラによるカメラの制御方法と、この制御方法を実現するカメラのプログラムを提供することである。
【課題を解決するための手段】
【００１５】
上記目的を達成するために、本発明によるカメラシステムは、カメラとこのカメラを外
部から制御するコントローラとからなるカメラシステムにおいて、上記カメラは、上記コ
ントローラとの間で画像データを含む情報を通信するカメラ通信部と、上記コントローラ
からの指示にしたがって上記カメラを制御するリモート制御部と、を備え、上記コントロ
ーラは、上記カメラとの間で画像データを含む情報を通信する通信部と、上記カメラから
送信された画像データに基く画像を表示させる表示部と、上記カメラから送信された画像
データの中から選択された画像データに関する情報を上記通信部を介して送信させる撮影
条件指示制御部と、を備え、上記カメラ通信部は、上記コントローラから送信された画像
データに関する情報を受信し、上記リモート制御部は、上記カメラ通信部が受信した画像
データに関する情報のうち撮影条件データに基いて同一の撮影条件を上記カメラに設定す
ることを特徴とする。
【００１６】
本発明によるカメラの制御方法は、カメラとの間で通信することで画像データを含む情
報を取得し、上記カメラを外部から制御するコントローラによるカメラの制御方法におい
て、上記カメラから送信された画像データのうち特定の画像データを選択し、上記コント
ローラから送信された上記選択画像データに関する情報を受信させ、上記受信された画像
データに関する情報に基いて同一の撮影条件を上記カメラに設定させることを特徴とする
。
【００１７】
本発明によるカメラのプログラムは、カメラとの間で通信することで画像データを含む
情報を取得し、上記カメラを外部から制御するコントローラによるカメラのプログラムに
おいて、上記カメラから送信された画像データのうちから特定の画像データを選択し、上
記コントローラから送信された上記選択画像データに関する情報を受信させるステップと
、上記受信された画像データに関する情報に基いてその画像データの有する撮影条件デー
タに基いて同一の撮影条件となるように上記カメラに設定するステップと、を含んでなる
ことを特徴とする。
【発明の効果】
【００１８】
本発明によれば、カメラとこのカメラを外部から制御するコントローラとからなるカメラシステムにおいて、コントローラから指示信号を送信することでカメラの撮影条件設定が行われるように制御することができ、さらに、この場合において、コントローラ側の操作性を単純化しながら、多数項目の撮影条件設定を容易に行うことができるように構成されるカメラシステムと、このカメラシステムのコントローラによるカメラの制御方法と、この制御方法を実現するカメラのプログラムを提供することができる。
【発明を実施するための最良の形態】
【００１９】
以下、図示の実施の形態によって本発明を説明する。
【００２０】
図１は、本発明の一実施形態のカメラシステム全体の概略構成を示すシステム構成図である。図２は、図１のカメラシステムにおけるコントローラとカメラとのそれぞれの内部構成の概略を示すブロック構成図である。
【００２１】
まず、本発明の一実施形態のカメラシステムの概略構成を、図１を用いて以下に説明する。
【００２２】
本実施形態のカメラシステムは、光学的な被写体像を画像データとして取得し記録媒体に記憶するデジタルカメラ２（以下、単にカメラという）と、このカメラ２の動作を外部から制御するコントローラ１とによって構成されるものである。
【００２３】
図１に示すように、コントローラ１は、表示部１８と、複数の操作部材等を有して構成される。複数の操作部材としては、例えば四方向選択ボタン２１（２１Ｌ，２１Ｒ，２１Ｄ，２１Ｕ），決定ボタン２１ａ，メニューボタン２２，レリーズボタン２３等がある。これら複数の操作部材は、その外装表面上の各所定の位置に配設されている。
【００２４】
四方向選択ボタン２１は、表示部１８に表示される操作画面上の所望の項目を選択指示するための操作部材であって、例えば
選択されている項目を示す指標を左方向へ移動させる左方向選択ボタン２１Ｌと、
選択されている項目を示す指標を右方向へ移動させる右方向選択ボタン２１Ｒと、
選択されている項目を示す指標を下方向へ移動させる下方向選択ボタン２１Ｄと、
選択されている項目を示す指標を上方向へ移動させる上方向選択ボタン２１Ｕと、
がある。
【００２５】
また、決定ボタン２１ａは、上記四方向選択ボタン２１によって選択指示した項目を決定指示するための操作部材である。
【００２６】
メニューボタン２２は、所定の操作画面を表示部１８に表示させる際に操作する操作部材である。
【００２７】
レリーズボタン２３は、当該コントローラ１を用いて制御対象のカメラ２による撮影動作を実行させる際に操作する操作部材である。
【００２８】
上記コントローラ１によって制御される対象のカメラ２としては、例えばレンズ交換可能な一眼レフレックス式のデジタルカメラや通常のコンパクトタイプのデジタルカメラ等がある。
【００２９】
本実施形態のカメラシステムにおいては、コントローラ１の制御対象とするカメラ２の形態を一眼レフレックス式のデジタルカメラの形態としては、例えば、図１において符号２で示すような形態のものである。
【００３０】
カメラ２は、例えばカメラ本体４６の前面に着脱自在に配置される交換レンズ部４３を具備し、カメラ本体４６の背面にはカメラ表示部３８が設けられ、カメラ本体４６の上面には情報表示部４２が設けられ、カメラ本体４６の外装表面上の所定の位置に複数の操作部材を有して構成されている。
【００３１】
操作部材としては、図１に示すように、例えば四方向選択ボタン４１（４１Ｌ，４１Ｒ，４１Ｄ，４１Ｕ），決定ボタン４１ａ，メニューボタン４１ｂ，レリーズボタン４１ｃ等がある。これら複数の操作部材は、カメラ本体４６の外装表面上の所定の位置にそれぞれ配設されている。
【００３２】
四方向選択ボタン４１は、カメラ表示部３８に表示される操作画面上の所望の項目を選択指示するための操作部材であって、例えば
選択されている項目を示す指標を左方向へ移動させる左方向選択ボタン４１Ｌと、
選択されている項目を示す指標を右方向へ移動させる右方向選択ボタン４１Ｒと、
選択されている項目を示す指標を下方向へ移動させる下方向選択ボタン４１Ｄと、
選択されている項目を示す指標を上方向へ移動させる上方向選択ボタン４１Ｕと、
がある。
【００３３】
また、決定ボタン４１ａは、上記四方向選択ボタン４１によって選択指示した項目を決定指示するための操作部材である。
【００３４】
メニューボタン４１ｂは、カメラ表示部３８に操作画面を表示させる際に操作する操作部材である。
【００３５】
レリーズボタン４１ｃは、当該カメラ２を用いて撮影動作を実行させる際に操作する操作部材である。
【００３６】
なお、図１で示すカメラ２の形態は、単なる例示であって、本実施形態のコントローラ１の制御対象となるカメラの形態としては、図示の形態のカメラに限られるものではなく、他の形態のカメラであってもよいのは勿論である。
【００３７】
上記コントローラ１と、上記カメラ２とを組み合わせた形態で、本実施形態のカメラシステムが構成される。この場合において、コントローラ１とカメラ２とは、所定の通信形式に基いて画像データや制御信号等、各種のデータについての通信を行うようになっている。これにより、コントローラ１は、カメラ２を外部から制御することができるようになっている。
【００３８】
コントローラ１とカメラ２との間で行われる通信形式としては、例えば赤外線を利用した光無線通信の規格であるＩｒＤＡ（アイアールディーエイ；Infrared Data Association）のほか、ブルートゥース（Bluetooth：登録商標）規格，Ｗｉ−Ｆｉ（ワイファイ；Wireless Fidelity）規格，ＷＵＳＢ（ワイヤレスUSB；Wireless USB）規格等の無線通信規格に準拠した無線形式によるものが適用される。また、このほかにもＵＳＢ（ユーエスビー；Universal Serial Bus）規格等、有線による通信形式を適用することも可能である。
【００３９】
次に、本実施形態のカメラシステムにおけるのコントローラ１と、このコントローラ１の制御対象となるカメラ２とのそれぞれの内部構成の概略について、図２を用いて以下に説明する。
【００４０】
まず、コントローラ１は、図２に示すように制御部１１，ＲＯＭ１２，操作部１３，ＲＡＭ１４，記録再生部１５，記録媒体部１６，表示制御部１７，表示部１８，通信部１９，バスライン２０，アンテナ５４等を具備して構成される。
【００４１】
制御部１１は、プログラムに基いて上記コントローラ１の全体を統括的に制御するものである。制御部１１には、ＲＯＭ１２，操作部１３等が接続されている。
【００４２】
制御部１１には、上記各操作部材（２１，２２，２３等）に連動する操作部１３からの指示信号を受けて各対応する制御信号を発する操作制御部１１ａと、撮影条件データ等の画像データに関する情報を等を送信する際の制御を行う撮影条件指示制御部１１ｂ等がプログラムにより実行される処理機能として設けられている。
【００４３】
なお、撮影条件指示制御部１１ｂの作用の詳細は後述するが、例えばカメラ２から送信されて通信部１９によって受信された画像データの中から操作者により選択された画像データに関する情報を、通信部１９を介してカメラ２へと送信する制御等を行うものである。
【００４４】
ＲＯＭ１２は、制御部１１を制御するための制御用プログラムや操作画面用データ１２ａ等が格納される記憶領域を有し、不揮発性メモリ等からなるデータ記憶部である。
【００４５】
操作部１３は、操作者によって操作される上記各種の操作部材（２１，２２，２３等）に連動し、操作された操作部材に対応する指示信号を制御部１１の操作制御部１１ａへと通知する回路部である。
【００４６】
例えば、この操作部１３は、表示部１８に表示中の操作画面から操作者が操作部材を用いて操作入力を行った際に、操作した操作部材からの指示信号を受け付けて操作制御部１１ａに対して同指示信号を出力する。
【００４７】
ＲＡＭ１４は、揮発性メモリ等からなり、各種データ等を一時的に記憶するワークエリアとなる一時メモリである。
【００４８】
記録再生部１５は、通信動作により受信した画像データを記録媒体部１６に記憶する処理や、通信動作により受信した画像データ又は記録媒体部１６に記憶されている画像データをＲＡＭ１４に読み出して伸張処理を施して表示制御部１７等へと引き渡す処理等、画像データの記録動作や再生動作に寄与する回路部である。
【００４９】
記録媒体部１６は、例えばフラッシュメモリやハードディスク等の記録媒体を含んで構成され、記録再生部１５から出力される画像データ等を所定の記録媒体に記録する構成部である。
【００５０】
表示制御部１７は、表示部１８の表示に関する制御を行う回路部である。この表示制御部１７は、記録再生部１５や通信部１９等から入力される画像データに基く画像の表示や、ＲＯＭ１２から読み出した操作画面用データ１２ａに基く操作画面の表示等、表示制御に寄与する回路部である。
【００５１】
表示部１８は、例えば液晶表示装置（ＬＣＤ）等からなり、表示制御部１７から出力された画像データや操作画面用データ１２ａ等に基いて画像や撮影条件設定用の表示画面等を表示する表示用装置である。この場合において、表示部１８が画像データに基く画像を表示する際には、画像データは、記録媒体部１６に蓄積された画像データであってもよいし、カメラ２から送信されて通信部１９によって受信された画像データであってもよい。
【００５２】
通信部１９は、上記コントローラ１とは別体に構成されるカメラ２との間で通信を行って、画像データや制御信号等をアンテナ５４を介してやり取りするための回路部である。そのために、この通信部１９にはアンテナ５４が接続されている。
【００５３】
アンテナ５４は、上記コントローラ１とは別体に構成されるカメラ２との間で通信を行う際の各種データや制御信号等の入出力部として機能するものである。
【００５４】
バスライン２０は、上記コントローラ１の内部構成部間を相互に電気的に接続するための信号線及びデータ線等から構成されている。
【００５５】
また、上記コントローラ１は、必要に応じて、撮像部２５，レンズ部２６等を具備して構成してもよい。これらの構成部については、本発明を構成するための必須の構成ではないことから、図２においては点線で囲って示している。
【００５６】
撮像部２５は、通常のカメラと同様に、撮像素子や画像処理回路等を有し、レンズ部２６により結像される被写体の光像を電気的な画像データに光電変換する撮影機能を備えているものである。
【００５７】
レンズ部２６は、光学レンズ等によって構成され、被写体の光像を撮像部２５の受光面に結像させるものである。
【００５８】
コントローラ１に撮像部２５，レンズ部２６を備えて構成した場合においては、撮像部２５から出力された画像データは、ＲＡＭ１４に一時的に格納される。このとき、ＲＡＭ１４は撮影画像データの一時メモリとして機能する。
【００５９】
また、記録再生部１５は、撮像部２５，レンズ部２６を用いて動作する撮影動作時には、取得した画像データを記録媒体部１６に記録する機能を有する。
【００６０】
さらにまた、操作部１３は、上述したように操作部材（２１，２２，２３等）を含んでされるが、この操作部材に代えて、又はこれらの操作部材に加えて、表示部１８の表示画面上にタッチパネルを設けるようにしてもよい。
【００６１】
タッチパネルは、操作部１３の一部として利用され得る回路部であって、表示部１８の表示画面上に重畳配置されている。なお、タッチパネルを適用する場合の構成としては、上記操作部材（２１，２２，２３等）と併設する構成としてもよいし、上記操作部材（２１，２２，２３等）を廃してタッチパネルのみを上記操作部材（２１，２２，２３等）に代わる操作部材として採用するような構成としてもよい。
【００６２】
次に、上記コントローラ１の制御対象となるカメラ２の構成の概略について、以下に説明する。
【００６３】
上述したように、上記コントローラ１は、カメラ２等を初めとして、各種の形態の複数機種のカメラに各対応するようになっており、各カメラをそれぞれ個別に制御することができるようになっている。
【００６４】
この場合において、上記コントローラ１による制御対象となるカメラ２の内部構成は、基本的にはいずれも略同様の構成である。即ち、カメラ２は、図２に示すようにカメラ制御部３１，カメラＲＯＭ３２，カメラ操作部３３，カメラＲＡＭ３４，カメラ記録再生部３５，カメラ記録媒体部３６，カメラ表示制御部３７，カメラ表示部３８，カメラ通信部３９，バスライン４０，カメラアンテナ４４，カメラ撮像部４５，交換レンズ部４３等を具備して構成される。
【００６５】
カメラ制御部３１は、プログラムに基いて上記カメラ２の全体を統括的に制御する回路部である。このカメラ制御部３１は、上記カメラ２とは別体に構成されるコントローラ１との間で通信を行う際の制御を司るリモート制御部３１ａをプログラムにより実行される処理機能として設けられる。カメラ制御部３１には、カメラＲＯＭ３２，カメラ操作部３３，光学系制御部等を有するカメラ撮像部４５等が接続されている。
【００６６】
カメラＲＯＭ３２は、不揮発性メモリ等からなり、カメラ制御部３１を制御するための制御用プログラムや操作画面用データ等を格納している。
【００６７】
ここで、操作画面用データは、操作画面を構成する表示用のデータと、この表示用データを用いて所定の形態の表示をカメラ表示部３８に行うための表示用プログラム等を含むものである。
【００６８】
カメラ操作部３３は、操作者が複数の操作部材のうちの任意の操作部材を操作することによって生じる操作指示信号を検出してカメラ制御部３１に通知する回路部である。
【００６９】
カメラＲＡＭ３４は、カメラ撮像部４５から出力された画像データを一時的に格納すると共に、撮影動作によって得られた画像データ等に対する各種のデジタル処理を行う際のワークエリアとなる一時メモリである。
【００７０】
カメラ記録再生部３５は、撮影動作時には取得した画像データの圧縮処理を施してカメラ記憶部であるカメラ記録媒体部３６に記憶させる処理を行う。また、再生動作時には圧縮された形態でカメラ記録媒体部３６に記憶されている所定の画像データを読み出してカメラＲＡＭ３４で伸長処理した後、カメラ表示制御部３７等へと引き渡す処理等、画像データの記録動作や再生動作に寄与する回路部である。
【００７１】
カメラ記録媒体部３６は、カメラ記録再生部３５の制御下で行われる撮影動作によって取得された画像データ等を記録し保存する記録媒体、例えばフラッシュメモリやハードディスク等の記録媒体を含んで構成される構成部である。
【００７２】
カメラ表示制御部３７は、カメラ表示部３８に表示する画像や操作画面表示を行うための表示制御に寄与する回路部である。
【００７３】
カメラ表示部３８は、例えば液晶表示装置（ＬＣＤ）等からなり、カメラ表示制御部３７から出力された画像データや操作画面用データに基いて画像や操作画面等を表示する表示装置である。
【００７４】
カメラ通信部３９は、上記カメラ２とコントローラ１との間で画像データや制御信号等の通信を行うための回路部である。例えば、カメラ通信部３９は、上記カメラ２のカメラ記録媒体部３６に記録されている画像データ等をコントローラ１へと送信したり、コントローラ１からの制御信号等を受信するインターフェースとして機能する。そのために、このカメラ通信部３９には、カメラアンテナ４４が接続されている。
【００７５】
カメラアンテナ４４は、コントローラ１との間で通信を行う際の各種データや制御信号等の入出力部として機能するものである。
【００７６】
バスライン４０は、上記カメラ２の内部構成部間を相互に電気的に接続するための信号線及びデータ線等から構成されている。
【００７７】
交換レンズ部４３は、ズームレンズ，フォーカスレンズや絞り機構，シャッター機構等を含んで構成される構成部である。この交換レンズ部４３は、上述したようにカメラ本体４６（図１参照）に対して着脱自在に構成されている。
【００７８】
カメラ撮像部４５は、操作者のズーム操作に応じてなされるズーム制御，撮像素子の出力信号（コントラスト信号）等に基いて検出した合焦位置にフォーカスレンズを移動させるフォーカス制御等の光学部材の駆動制御や撮像素子の出力信号（輝度信号）に基いて交換レンズ部４３の絞り機構やシャッター機構等を制御する露出制御等、各種の制御を行う光学系制御部を有する。また、カメラ撮像部４５は、交換レンズ部４３により結像される被写体の光像を光電変換する撮像素子，この撮像素子から出力される電気信号を処理して画像データを出力する撮像処理部，この撮像処理部から出力されるアナログ信号をデジタル信号に変換するＡＤ変換部等の処理系回路等を有して構成されている。
【００７９】
情報表示部４２は、例えば小型のモノクロ液晶表示装置等からなり、カメラ２に設定済みの各種の情報を表示する表示装置である。
【００８０】
その他の構成については、従来の一般的なデジタルカメラと略同様であるもの。したがって、その詳細な説明は省略する。
【００８１】
なお、本実施形態では、図１，図２に示すようにコントローラ１によって制御されるカメラ２の形態としてレンズ交換可能な一眼レフレックス式デジタルカメラを例に挙げて説明しているが、上記コントローラ１によって制御される対象のカメラ２としては、これに限ることはなく、その他の形態のカメラ、例えばコンパクトタイプのデジタルカメラ等であってもよいのは当然である。
【００８２】
上述のように構成される本実施形態のカメラシステムにおいて、カメラ２とコントローラ１との間で通信を行って、コントローラ１から撮影条件等の設定を行う際の作用の流れの概略を以下に説明する。
【００８３】
図３は、本実施形態のカメラシステムにおけるコントローラの表示部に表示される操作画面の表示例であって、（Ａ）〜（Ｅ）は、表示部の操作画面の表示が操作者の操作に従って変化する際の様子を示している。
【００８４】
まず、操作者によってコントローラ１の電源ボタン（図示せず）が操作されてコントローラ１の電源状態がオン状態にされると、このコントローラ１は単体で動作するローカルモードで起動する。
【００８５】
本実施形態のカメラシステムにおけるコントローラ１の動作モードとしては、このローカルモードの他にリモートモードがある。コントローラ１のリモートモードは、カメラ２との間で通信を行って、遠隔操作によって同カメラ２の動作を制御する動作モードである。
【００８６】
コントローラ１がローカルモードで起動した状態で、操作者がコントローラ１の動作モードをローカルモードからリモートモードへと切り換える操作、つまり動作モード切換操作を所定の操作部材によって行うと、コントローラ１の制御部１１の操作制御部１１ａは、操作部１３からの対応する指示信号を受けて所定の通信確立処理（詳細は後述する）を実行する。その結果、コントローラ１とカメラ２との通信状態が確立されると、制御部１１は、ＲＯＭ１２から操作画面用データ１２ａを読み込んで、これを表示制御部１７へと渡す。これを受けて表示制御部１７は、表示部１８を制御して表示部１８に図３（Ａ）に示す第１操作画面１８ａを表示させる。この第１操作画面１８ａは、コントローラ１のリモートモード時に実行可能な動作モードを一覧表示し、操作者に選択を促す操作画面である。
【００８７】
本実施形態におけるコントローラ１のリモートモード時の動作モードとしては、図３（Ａ）に示すように、「撮影コントロール」モードと「再生コントロール」モードとがある。上記第１操作画面１８ａでは、本コントローラ１のリモートモード時の動作モードの一覧を表示している。操作者は、この第１操作画面１８ａにより、コントローラ１をいずれの動作モードで動作させるかの選択をする。
【００８８】
撮影コントロールモードは、カメラ２との間で通信を行って、コントローラ１からカメラ２への指示信号を送ってカメラ２の撮影動作制御を行うことができる動作モードである。この撮影コントロールモードでコントローラ１を動作させることによって、コントローラ１は、カメラ２との間で通信を行って遠隔操作によるカメラ２の撮影動作制御、例えばカメラ２の撮影条件等の設定を行ったり、カメラ２の撮影動作を実行する等の制御を行うことができる。
【００８９】
再生コントロールモードは、カメラ２との間で通信を行って、コントローラ１からカメラ２への指示信号を送ってカメラ２の再生動作制御を行うことができる動作モードである。この再生コントロールモードでコントローラ１を動作させることによって、コントローラ１は、カメラ２との間で通信を行って遠隔操作によるカメラ２の再生動作制御、例えばカメラ２のカメラ記録媒体部３６に蓄積された記録済みの画像データについて、必要な画像データをコントローラ１へ送信したり、不要な画像データを削除する等の制御を行うことができる。
【００９０】
こうして表示部１８に第１操作画面１８ａが表示されたとき、動作モードを表す項目一欄の近傍には、所定の項目を指し示すカーソルが同時に表示される。操作者は、四方向選択ボタン２１のうち特に下方向選択ボタン２１Ｄ，上方向選択ボタン２１Ｕを用いてカーソルを第１操作画面１８ａ内で移動させて、カーソルが所望の動作モードを指し示すように操作する。図３（Ａ）に示す状態は、カーソルが撮影コントロールモードの項目を指し示している状態である。なお、第１操作画面１８ａの表示をキャンセルして、コントローラ１を直前の動作状態に戻したい場合には、例えば、上記所定の操作部材（動作モード切換用の操作部材）を再度操作する等によって可能である。
【００９１】
そして、操作者が所望する動作モードの項目欄をカーソルで指し示した表示とし、ここで、決定ボタン２１ａを押圧操作すると、制御部１１の操作制御部１１ａは、操作部１３からの決定ボタン２１ａに対応する指示信号を受けてコントローラ１を撮影コントロールモードで動作させる設定を行う。その後、制御部１１は、表示制御部１７を制御して、このコントローラ１における撮影コントロール動作時の初期画面、例えばモニタ表示画面（図示せず）に切り換える。このモニタ表示画面は、コントローラ１の制御対象となるカメラ２との間で通信を行うことにより、カメラ２によって取得され送信されるモニタ画像データを受信した結果、表示される画面である。
【００９２】
また、図３（Ａ）の第１操作画面１８ａの表示中に、所望の動作モードの項目欄をカーソルで指し示した状態で、メニューボタン２２を押圧操作すると、制御部１１の操作制御部１１ａは、操作部１３からのメニューボタン２２に対応する指示信号を受けてコントローラ１を撮影コントロールモードで動作させる設定を行うのと同時に、表示部１８の表示を、図３（Ｂ）に示す第２操作画面１８ｂに切り換える。
【００９３】
この場合において、制御部１１は、ＲＯＭ１２から操作画面用データを読み込んで、これを表示制御部１７へと渡す。これを受けて表示制御部１７は、表示部１８を制御して、表示部１８に表示中の図３（Ａ）の第１操作画面１８ａを、図３（Ｂ）に示す第２操作画面１８ｂの表示に切り換える。この第２操作画面１８ｂは、本コントローラ１が撮影コントロールモードで動作する場合において、その制御対象となるカメラ２に設定すべき撮影動作モードを一覧表示し、操作者に選択を促す操作画面である。
【００９４】
この第２操作画面１８ｂで設定し得るカメラ２の撮影動作モードの項目としては、図３（Ｂ）に示すように、「通常」撮影モードと「ブラケット」撮影モードと「連写」撮影モードとがある。上記第２操作画面１８ｂでは、本コントローラ１が制御するカメラ２の撮影動作モードの一覧を表示している。操作者は、この第２操作画面１８ｂにより、コントローラ１を用いてカメラ２をいずれの撮影動作モードで制御するかの選択をする。
【００９５】
通常撮影モードは、一般的な通常の撮影を行う際に選択される撮影動作モードである。
【００９６】
ブラケット撮影モードは、即ち一回のレリーズ動作を行ったときに予め設定された撮影条件の設定値のみを段階的に変位させて複数回のレリーズ動作を実行するいわゆるブラケット撮影を行う際に選択される撮影動作モードである。
【００９７】
連写撮影モードは、１つの画像を取得するための一連の撮影動作、例えばシャッターチャージや絞り羽根の開閉から撮像素子の撮像処理等によって実現される一連の動作を、１回の操作で連続的に行って複数枚の画像データを取得するモードである。この連写撮影モードの間、撮影条件は変化させずに一定値に固定する場合と、各撮影毎に最適値に設定する場合と、を選択可能である。
【００９８】
この第２操作画面１８ｂが表示されたときにも、設定項目を表す項目一欄の近傍には、上記第１操作画面１８ａと同様にカーソルが表示される。操作者は、四方向選択ボタン２１のうち特に下方向選択ボタン２１Ｄ，上方向選択ボタン２１Ｕを用いてカーソルを第２操作画面１８ｂ内で移動させて、カーソルが所望の項目を指し示すように操作する。図３（Ｂ）に示す状態は、カーソルがブラケット撮影モードの項目を指し示している状態である。なお、第２操作画面１８ｂの表示をキャンセルして、コントローラ１を直前の動作状態に戻したい場合には、例えば、メニューボタン２２を再度押圧操作したり、又は四方向選択ボタン２１を操作して第２操作画面１８ｂの最下縁部に表示される「ＢＡＣＫ」項目を選択して決定ボタン２１ａを押圧操作することで可能である。
【００９９】
このようにして、操作者が所望する動作モードの項目欄をカーソルで指し示す表示としたとき、決定ボタン２１ａが押圧操作されると、制御部１１の操作制御部１１ａは、操作部１３からの決定ボタン２１ａに対応する指示信号を受けてコントローラ１を用いてカメラ２をブラケット撮影モードで動作させる設定を行う。これと同時に、制御部１１は、ＲＯＭ１２から操作画面用データを読み込んで、これを表示制御部１７へと渡す。これを受けて表示制御部１７は、表示部１８を制御して、表示部１８に表示中の図３（Ｂ）の第２操作画面１８ｂを、図３（Ｃ）に示す第３操作画面１８ｃの表示に切り換える。この第３操作画面１８ｃは、本コントローラ１の制御対象となるカメラ２をブラケット撮影モードで動作させる場合において、ブラケット撮影モードの種類を一覧表示し、操作者に選択を促す操作画面である。
【０１００】
この第３操作画面１８ｃで設定し得るブラケット撮影モードの種類としては、図３（Ｃ）に示すように、「ＡＥブラケット」と「ＭＦブラケット」と「ＷＢブラケット」とがある。上記第３操作画面１８ｃでは、本コントローラ１が制御するカメラ２のブラケット撮影モードの一覧を表示している。操作者は、この第３操作画面１８ｃにより、コントローラ１を用いてカメラ２をいずれのブラケット撮影モードで制御するかの選択をする。
【０１０１】
ＡＥブラケット撮影モードは、自動露出制御（ＡＥ）処理により算出される適正露出値を基準として、この基準露出値の前後に段階的に露出値を変位させてブラケット撮影を行う撮影モードである。
【０１０２】
ＭＦブラケット撮影モードは、焦点調節動作により設定したフォーカス位置（レンズ位置）を基準として、この基準フォーカス位置（レンズ位置）の前後に段階的にフォーカス位置（レンズ位置）を変位させてブラケット撮影を行う撮影モードである。
【０１０３】
ＷＢブラケット撮影モードは、設定したホワイトバランス値（ＷＢ値という）を基準として、この基準ＷＢ値から赤方向と青方向とに段階的にＷＢ値を変位させてブラケット撮影を行う撮影モードである。
【０１０４】
この第３操作画面１８ｃが表示されたときにも、設定項目を表す項目一欄の近傍には、上記第１，第２操作画面１８ａ，１８ｂと同様にカーソルが表示される。操作者は、四方向選択ボタン２１のうち特に下方向選択ボタン２１Ｄ，上方向選択ボタン２１Ｕを用いてカーソルを第３操作画面１８ｃ内で移動させて、カーソルが所望の項目を指し示すように操作する。図３（Ｃ）に示す状態は、カーソルがＡＥブラケット撮影モードの項目を指し示している状態である。なお、第３操作画面１８ｃの表示をキャンセルする場合には、第２操作画面１８ｂと同様に、メニューボタン２２を再度押圧操作したり、又は四方向選択ボタン２１で「ＢＡＣＫ」項目を選択し決定ボタン２１ａを押圧操作することで可能である。
【０１０５】
このようにして、操作者が所望する動作モードの項目欄をカーソルで指し示す表示としたとき、決定ボタン２１ａが押圧操作されると、制御部１１の操作制御部１１ａは、操作部１３からの決定ボタン２１ａに対応する指示信号を受けてコントローラ１を用いてカメラ２をＡＥブラケット撮影モードで動作させる設定を行う。これと同時に、制御部１１は、ＲＯＭ１２から操作画面用データを読み込んで、これを表示制御部１７へと渡す。これを受けて表示制御部１７は、表示部１８を制御して、表示部１８に表示中の図３（Ｃ）の第３操作画面１８ｃを、図３（Ｄ）に示す第４操作画面１８ｄの表示に切り換える。この第４操作画面１８ｄは、本コントローラ１の制御対象となるカメラ２をＡＥブラケット撮影モードで動作させる場合における撮影条件（ここでは変位させる設定により類別される形態）の一覧を表示し、操作者に選択を促す操作画面である。
【０１０６】
この第４操作画面１８ｄで設定し得る撮影条件の形態としては、図３（Ｄ）に示すように、「Ｐモード」と「Ａモード」と「Ｓモード」とがある。上記第４操作画面１８ｄでは、本コントローラ１が制御するカメラ２によるブラケット撮影モードのうちＡＥブラケット撮影モードの撮影条件の種類の一覧を表示している。操作者は、この第４操作画面１８ｄにより、コントローラ１を用いてカメラ２をＡＥブラケット撮影モードで動作させる際の撮影条件の形態を選択する。
【０１０７】
Ｐモードでは、絞り値とシャッター速度値との組み合わせを切り換えて段階的に露出を変位させるＡＥブラケット撮影の動作モードである。
【０１０８】
Ａモードでは、シャッター速度値を変位させて段階的に露出を変位させるＡＥブラケット撮影の動作モードである。即ち、Ａモードは、絞り優先ＡＥブラケット撮影モードである。
【０１０９】
Ｓモードでは、絞り値を変位させて段階的に露出を変位させるＡＥブラケット撮影の動作モードである。即ち、Ｓモードは、シャッター速度優先ＡＥブラケット撮影モードである。
【０１１０】
この第４操作画面１８ｄが表示されたときにも、設定項目を表す項目一欄の近傍には、上記第１，第２，第３操作画面１８ａ，１８ｂ，１８ｃと同様にカーソルが表示される。操作者は、四方向選択ボタン２１のうち特に下方向選択ボタン２１Ｄ，上方向選択ボタン２１Ｕを用いてカーソルを第４操作画面１８ｄ内で移動させて、カーソルが所望の項目を指し示すように操作する。図３（Ｄ）に示す状態は、カーソルがＳモードの項目を指し示している状態である。なお、第４操作画面１８ｄの表示をキャンセルする場合には、第２，第３操作画面１８ｂ，１８ｃと同様に、メニューボタン２２を再度押圧操作したり、又は四方向選択ボタン２１で「ＢＡＣＫ」項目を選択し決定ボタン２１ａを押圧操作することで可能である。
【０１１１】
このようにして、操作者が所望する動作モードの項目欄をカーソルで指し示す表示としたとき、決定ボタン２１ａが押圧操作されると、制御部１１の操作制御部１１ａは、操作部１３からの決定ボタン２１ａに対応する指示信号を受けてコントローラ１を用いてカメラ２をＡＥブラケット撮影モードで動作させる際の撮影条件としてＳモードを設定する。これと同時に、制御部１１は、ＲＯＭ１２から操作画面用データを読み込んで、これを表示制御部１７へと渡す。これを受けて表示制御部１７は、表示部１８を制御して、表示部１８に表示中の図３（Ｄ）の第４操作画面１８ｄを、図３（Ｅ）に示す第５操作画面１８ｅの表示に切り換える。この第５操作画面１８ｅは、本コントローラ１の制御対象となるカメラ２がＡＥブラケット撮影モードで動作する場合において、変位させる撮影条件（この場合は絞り値）の変位量の設定を一覧表示し、操作者に選択を促す操作画面である。
【０１１２】
この第５操作画面１８ｅで設定し得る撮影条件としては、図３（Ｅ）に示すように、１回分のブラケット撮影動作での段数（撮影数）と露出（ＥＶ値）のズラし量との組み合わせの設定を規定している。ブラケット段数が「３段階」では３回の撮影により３枚の画像を得る。同様にブラケット段数が「５段階」では５回の撮影により５枚の画像を得る。露出ズラし量は、基準露出値を中心としてプラス方向とマイナス方向のそれぞれに同じ幅で段階的な露出となるように設定値が規定されている。
【０１１３】
例えば、図３（Ｅ）に示す「３段階  −０．５〜＋０．５ＥＶ」の設定では、基準露出値による撮影（±０ＥＶ）と、この基準露出値からマイナス側に０．５ＥＶだけズラした露出値による撮影と、上記基準露出値からプラス側に０．５ＥＶだけズラした露出値による撮影と、の３枚分の画像データを取得する設定である。露出値の変更は、上記第４操作画面に従う。つまり、第４操作画面でＳモードが選択されていれば、絞り値を変化させることで、−０．５ＥＶと＋０．５ＥＶの撮影を行う。
【０１１４】
同様に、「３段階  −１．０〜＋１．０ＥＶ」の設定では、基準露出値による撮影（±０ＥＶ）と、この基準露出値からマイナス側に１．０ＥＶだけズラした露出値による撮影と、上記基準露出値からプラス側に１．０ＥＶだけズラした露出値による撮影と、の３枚分の画像データを取得する設定である。
【０１１５】
同様に、「５段階  −０．５〜＋０．５ＥＶ」の設定では、基準露出値による撮影（±０ＥＶ）と、この基準露出値からマイナス側に０．５ＥＶだけズラした露出値による撮影と、上記基準露出値からマイナス側に０．２５ＥＶだけズラした露出値による撮影と、上記基準露出値からプラス側に０．２５ＥＶだけズラした露出値による撮影と、上記基準露出値からプラス側に０．５ＥＶだけズラした露出値による撮影と、の５枚分の画像データを取得する設定である。
【０１１６】
同様に、「５段階  −１．０〜＋１．０ＥＶ」の設定では、基準露出値による撮影（±０ＥＶ）と、この基準露出値からマイナス側に１．０ＥＶだけズラした露出値による撮影と、上記基準露出値からマイナス側に０．５ＥＶだけズラした露出値による撮影と、基準露出値からプラス側に０．５ＥＶだけズラした露出値による撮影と、上記基準露出値からプラス側に１．０ＥＶだけズラした露出値による撮影と、の５枚分の画像データを取得する設定である。
【０１１７】
なお、図３（Ｅ）で示すブラケット段数と露出のズラし量との規定値及び両者の組み合わせは、単なる例示であって、これに限ることはなく、さまざまな規定値や組み合わせを適宜採用し得る。
【０１１８】
この第５操作画面１８ｅが表示されたときにも、設定項目を表す項目一欄の近傍には、上記第１，第２，第３，第４操作画面１８ａ，１８ｂ，１８ｃ，１８ｄと同様にカーソルが表示される。操作者は、四方向選択ボタン２１のうち特に下方向選択ボタン２１Ｄ，上方向選択ボタン２１Ｕを用いてカーソルを第４操作画面１８ｄ内で移動させて、カーソルが所望の項目を指し示すように操作する。図３（Ｅ）に示す状態は、カーソルが「５段階  −１．０〜＋１．０」の項目を指し示している状態である。なお、第５操作画面１８ｄの表示をキャンセルする場合には、第２，第３，第４操作画面１８ｂ，１８ｃ，１８ｄと同様に、メニューボタン２２を再度押圧操作したり、又は四方向選択ボタン２１で「ＢＡＣＫ」項目を選択し決定ボタン２１ａを押圧操作することで可能である。
【０１１９】
このようにして、操作者が所望する動作モードの項目欄をカーソルで指し示す表示としたとき、決定ボタン２１ａを押圧操作されると、制御部１１の操作制御部１１ａは、操作部１３からの決定ボタン２１ａに対応する指示信号を受けてコントローラ１を用いてカメラ２をＡＥブラケット撮影モードのＳモードで動作させる際の撮影条件として「５段階  −１．０〜＋１．０」を設定する。これと同時に、制御部１１は、ＲＯＭ１２から操作画面用データを読み込んで、これを表示制御部１７へと渡す。これを受けて表示制御部１７は、表示部１８を制御して、表示部１８に表示中の図３（Ｅ）の第５操作画面１８ｄを、例えばモニタ表示画面（図示せず）に切り換える。
【０１２０】
以上のような構成の本実施形態のカメラシステムにおいて、コントローラ１を用いた遠隔操作によってカメラ２を制御する際の作用を図４〜図７のフローチャートによって以下に説明する。
【０１２１】
図４は、本実施形態のカメラシステムにおいて、コントローラを用いてカメラを遠隔操作しカメラを制御する際の作用を示すフローチャートである。なお、図４（Ａ）は、カメラ２をリモートモードで動作させる際の処理ステップを示すフローチャートであって、各ステップ番号を「Ｓｎ」（ｎは整数）で示している。また、図４（Ｂ）は、コントローラ１をリモートモードで動作させる際の処理ステップを示すフローチャートであって、各ステップ番号を「Ｔｎ」（ｎは整数）で示している。
【０１２２】
まず、カメラ２側において、操作者によってカメラ２の操作部材のうち電源ボタン（図示せず）が操作されると、同カメラ２の電源状態はオン状態となる。
【０１２３】
カメラ２が電源オン状態とされた後、カメラ制御部３１は、図４（Ａ）に示すステップＳ１１において、カメラ操作部３３の出力信号を監視して、操作者によってカメラ２の操作部材のうち動作モードを切り換えるための所定の操作部材が操作されてリモートモードへの動作切換操作がなされたか否かの確認を行う。
【０１２４】
なお、カメラ２の動作モードとしては、コントローラ１との間で通信を行って、通信相手のコントローラ１による動作制御を受け入れるリモートモードと、本カメラ２が単体で動作するローカルモード等がある。
【０１２５】
カメラ２がリモートモードで動作する際には、コントローラ１との通信を行って同コントローラ１の遠隔操作による制御下で、コントローラ１からの指示信号に従って撮影動作を実行したり、カメラ記録媒体部３６に蓄積された画像データを扱う再生動作、例えば記録済み画像データをコントローラ１の側に転送する等の処理が行われる。
【０１２６】
また、カメラ２のローカルモードでは、通常の一般的なデジタルカメラとしての機能（例えば撮影動作や画像再生動作等）を単体で実行する制御がカメラ制御部３１の制御下でなされる。
【０１２７】
上述のステップＳ１１の処理において、リモートモードへの動作切換操作が行われたと判断された場合には、次のステップＳ１３の処理に進む。
【０１２８】
ステップＳ１３において、カメラ制御部３１は、コントローラ１との通信確立処理を実行する。ここで、所定時間以内に通信相手であるコントローラ１との間で通信状態が確立し得なかった場合（タイムアウトの場合）には、所定のエラー処理が実行される。このエラー処理としては、例えば通信が確立できなかった旨の警告表示をカメラ表示部３８に表示すると共に、操作者に何らかの操作入力を促す等の処理である。そして、通信状態が確立した場合には、ステップＳ１４の処理に進む。
【０１２９】
一方、上述のステップＳ１１の処理において、リモートモードへの動作切換操作が行われていないと判断された場合には、ステップＳ１２の処理に進む。
【０１３０】
ステップＳ１２において、カメラ制御部３１は、カメラ２の動作モードが本カメラ２が単体で動作するローカルモードに設定されているものと判断して、カメラ２をローカルモードで動作させる処理の実行を開始する。そして、ローカルモードでの動作中に、例えばリモートモード又は再生モードへの動作切換操作や電源オフ操作等の指示信号を検出した場合には、上述のステップＳ１１の処理に戻り、以降の処理を繰り返す。
【０１３１】
一方、コントローラ１側においては、操作者によってコントローラ１の操作部材のうち電源ボタン（図示せず）が操作されると、上述したようにコントローラ１の電源状態はオン状態となりローカルモードで起動する。
【０１３２】
コントローラ１が電源オン状態とされローカルモードで起動すると、制御部１１は、図４（Ａ）に示すステップＴ１１において、操作部１３の出力信号を監視して、リモートモードへの動作切換操作がなされたか否かの確認を行う。
【０１３３】
このリモートモードへの動作切換操作とは、操作者がコントローラ１の操作部材のうち動作モードを切り換えるための所定の操作部材の操作である。この切換操作がなされると、制御部１１は、当該所定の操作部材からの操作指示信号を受けて、所定の通信確立処理（詳細は後述する）を実行する。その結果、コントローラ１とカメラ２との通信状態が確立されると、制御部１１は、表示制御部１７を介して表示部１８を制御して図３（Ａ）の第１操作画面１８ａを表示部１８に表示する処理を行う。
【０１３４】
操作者は、この第１操作画面１８ａの表示中において、コントローラ１の動作モードの選択を指示する。ここで、操作者により「撮影コントロール」の項目が選択指示されると、コントローラ１は、動作モードをリモートモードに切り換える処理を行う設定がなされる。
【０１３５】
なお、コントローラ１の動作モードとしては、上述のカメラ２と同様に、リモートモードとローカルモード等がある。リモートモードは、カメラ２との間で通信を行ってカメラ２を動作制御する動作モードである。また、ローカルモードは、コントローラ１が単体で動作する動作モードである。
【０１３６】
コントローラ１がリモートモードで動作する際には、カメラ２との通信を行って同カメラ２を遠隔操作により制御して撮影動作を実行させたり、カメラ２のカメラ記録媒体部３６に蓄積された画像データをコントローラ１の側に転送する等の処理を実行することができる。
【０１３７】
また、コントローラ１のローカルモードでは、記録媒体部１６に蓄積された画像データに基づく画像を再生表示する等の制御によりいわゆる画像ビュワー（ＶＩＥＷＥＲ）として機能させたり、コントローラ１がレンズ部２６，撮像部２５等を具備している場合には、これらを用いて撮影動作を行って通常のデジタルカメラとして機能させる等の制御を行うことができる。
【０１３８】
上述のステップＴ１１の処理では、この動作切換操作によって生じる指示信号、即ちリモートモードへのモード切換指示信号が生じたか否かの確認を行う。この場合において、リモートモードへの動作切換操作が行われたと判断された場合には、次のステップＴ１３の処理に進む。
【０１３９】
ステップＴ１３において、制御部１１は、カメラ２との通信確立処理を実行する。ここで、所定時間以内に通信相手であるカメラ２との間で通信状態が確立し得なかった場合（タイムアウトの場合）には、所定のエラー処理が実行される。このエラー処理としては、例えば通信が確立できなかった旨の警告表示を表示部１８に表示すると共に、操作者に何らかの操作入力を促す等の処理である。そして、通信状態が確立した場合には、ステップＴ１４の処理に進む。
【０１４０】
一方、上述のステップＴ１１の処理において、リモートモードへの動作切換操作が行われていないと判断された場合には、ステップＴ１２の処理に進む。
【０１４１】
ステップＴ１２において、制御部１１は、コントローラ１の動作モードがコントローラ１が単独で動作するローカルモードに設定されているものと判断して、コントローラ１をローカルモードで動作させる処理の実行を開始する。そして、ローカルモードでの動作中に、例えばリモートモード又は再生モードへの動作切換操作や電源オフ操作等の指示信号等が割り込まれる等により、所定の指示信号が検出された場合には、上述のステップＴ１１の処理に戻り、以降の処理を繰り返す。
【０１４２】
なお、上述のステップＳ１３の処理におけるカメラ制御部３１による通信確立処理と、上述のステップＴ１３の処理における制御部１１による通信確立処理では、両者の制御部（１１，３１）は、互いの機器情報、例えば機種を特定するデータ等をやりとりして、互いが通信相手として適した機器であるかの確認処理等を行う。
【０１４３】
また、コントローラ１とカメラ２との間の通信状態が確立すると、コントローラ１の制御部１１は、図３（Ａ）の第１操作画面１８ａを表示部１８に表示する処理を行う。ステップＴ１４の処理に進む。
【０１４４】
こうして第１操作画面１８ａが表示部１８に表示された状態で、ステップＴ１４において、制御部１１は、リモートモードにおける動作モードとして、撮影コントロールモードが選択指示されたか否かの確認を行う。ここで、撮影コントロールモードが選択指示されたことが確認されると、ステップＴ１５の処理に進む。
【０１４５】
ステップＴ１５において、制御部１１は、撮影コントロールモードにおける各種の撮影条件についての設定を行う。ここで行われる撮影条件の設定とは、上述の図３（Ｂ）〜（Ｅ）を用いて説明した一連の設定操作によって行われる撮影条件の設定である。その後、ステップＴ１６の処理に進む。
【０１４６】
ステップＴ１６において、制御部１１は、撮影コントロールモードにおける各設定情報を通信部１９，アンテナ５４を介してカメラ２へと送信する処理を実行する。その後、ステップＴ１９の処理に進む。
【０１４７】
一方、上述のステップＴ１４の処理にて、再生コントロールモードが選択指示されたことが確認されると、ステップＴ１７の処理に進む。
【０１４８】
ステップＴ１７において、制御部１１は、再生コントロールモードにおける各種の再生条件についての設定を行う。なお、ここで行われる再生条件の設定についての詳細は、説明を省略する。その後、ステップＴ１８の処理に進む。
【０１４９】
ステップＴ１８において、制御部１１は、再生コントロールモードにおける各設定情報を通信部１９，アンテナ５４を介してカメラ２へと送信する処理を実行する。その後、ステップＴ２０の処理に進む。
【０１５０】
上述のステップＴ１６及びステップＴ１８の各処理にて行われる送信処理を受けて、カメラ２のカメラ制御部３１は、ステップＳ１４において、カメラアンテナ４４，カメラ通信部３９を制御して設定情報受信処理を実行する。これにより、コントローラ１から送信された設定情報は、カメラ２のカメラアンテナ４４，カメラ通信部３９を介して受信され、カメラＲＡＭ３４に一時的に記憶される。その後、ステップＳ１５の処理に進む。
【０１５１】
ステップＳ１５において、カメラ制御部３１は、カメラ２の動作モードがリモートモードにおける撮影モードに設定されているか否かの確認を行う。ここで、撮影モードに設定されていることが確認された場合には、ステップＳ１６の処理に進む。
【０１５２】
ステップＳ１６において、カメラ制御部３１は、撮影動作を実行するための撮影実行処理を実行する。撮影実行処理の詳細については、図５（Ａ）によって後述する。この撮影実行処理を終えた後は、ステップＳ１８の処理に進む。
【０１５３】
一方、上述のステップＳ１５の処理において、カメラ２の動作モードが撮影モードに設定されておらず再生モードに設定されていることが確認された場合には、ステップＳ１７の処理に進む。
【０１５４】
ステップＳ１７において、カメラ制御部３１は、再生モードでの動作を実行するための再生実行処理を実行する。この再生実行処理の詳細については、図７（Ａ）によって後述する。この再生実行処理を終えた後は、ステップＳ１８の処理に進む。
【０１５５】
ステップＳ１８において、カメラ制御部３１はカメラ操作部３３の出力信号を監視して、電源オフ操作がなされたか否かの確認を行う。ここで、電源オフ信号を検出してオフ操作されたことが確認された場合には、一連の処理を終了する（エンド）。また、電源オフ信号が検出されない場合には電源オフ操作されなかったものと判断されて、次のステップＳ１９の処理に進む。
【０１５６】
ステップＳ１９において、カメラ制御部３１は、カメラアンテナ４４，カメラ通信部３９を介してコントローラ１からのモード切換指示信号（後述するステップＴ２２参照）が受信されたか否かの確認を行う。ここで、モード切換指示信号を受信した場合には、上述のステップＳ１４の処理に戻り、以降の処理を繰り返す。一方、モード切換指示信号が受信されない場合には、上述のステップＳ１５の処理に戻り、以降の処理を繰り返す。
【０１５７】
図４（Ｂ）のコントローラ１の処理シーケンスに戻る。同図のステップＴ１９において、制御部１１は、撮影指示処理を実行する。この撮影指示処理の詳細については、図５（Ｂ）によって後述する。この撮影指示処理を終えた後は、ステップＴ２１の処理に進む。
【０１５８】
一方、ステップＴ２０の処理において、制御部１１は、再生指示処理を実行する。この再生指示処理の詳細については、図７（Ｂ）によって後述する。この再生指示処理を終えた後は、ステップＴ２１の処理に進む。
【０１５９】
ステップＴ２１において、制御部１１は操作部１３の出力信号を監視して、電源オフ操作がなされたか否かの確認を行う。ここで、電源オフ信号を検出してオフ操作されたことが確認された場合には、一連の処理を終了する（エンド）。また、電源オフ信号が検出されない場合には電源オフ操作されなかったものと判断されて、次のステップＴ２２の処理に進む。
【０１６０】
ステップＴ２２において、制御部１１は、操作部１３の出力信号を監視してモード切換指示信号が検出され、当該信号が通信部１９，アンテナ５４を介して送信されたか否かの確認を行う（上述のステップＴ１９参照）。ここで、モード切換指示信号が送信されたことが確認された場合には、次のステップＴ２３の処理に進む。
【０１６１】
ステップＴ２３において、制御部１１は、上述のステップＴ２２の処理で検出したモード切換指示信号が、撮影モードから再生モードへ切り換える指示信号であるか否かの確認を行う。ここで、検出信号が撮影モードから再生モードへの切換指示信号であることが確認された場合には、上述のステップＴ２０の処理に戻り、以降同様の処理を実行する。一方、検出信号が撮影モードから再生モードへの切換指示信号ではないことが確認された場合には、上述のステップＴ１９の処理に戻り、以降同様の処理を実行する。
【０１６２】
一方、上述のステップＴ２２の処理において、モード切換指示信号が送信されなかったことが確認された場合には、ステップＴ２４の処理に進む。
【０１６３】
ステップＴ２４において、制御部１１は、操作部１３の出力信号を監視して動作モードをローカルモードへと切り換える操作がなされることにより生じる動作モード切換指示信号が検出されたか否かの確認を行う。ここで、当該動作モード切換指示信号が確認された場合には、上述のステップＴ１２の処理に戻り、以降の処理を繰り返す。一方、動作モード切換指示信号が確認されなかった場合には、上述のステップＴ１４の処理に戻り、以降の処理を繰り返す。
【０１６４】
次に、コントローラ１で実行される撮影指示処理（図４（Ｂ）のステップＴ１９の処理）と、この撮影指示処理に呼応してカメラ２で実行される撮影実行処理（図４（Ａ）のステップＳ１６の処理）の詳細について、図５を用いて以下に説明する。
【０１６５】
図５は、本実施形態のカメラシステムにおいて、コントローラの撮影指示処理（図４（Ｂ）のステップＴ１９の処理）とカメラの撮影実行処理（図４（Ａ）のステップＳ１６の処理）とを並べて示すフローチャートである。なお、図５（Ａ）は、カメラ２の撮影実行処理の流れを示し、各ステップ番号を「Ｓｎ」（ｎは整数）で示している。また、図５（Ｂ）は、コントローラ１の撮影指示処理の流れを示し、各ステップ番号を「Ｔｎ」（ｎは整数）で示している。
【０１６６】
まず、コントローラ１の撮影指示処理が実行されると、図５（Ｂ）のステップＴ３１において、制御部１１は、操作部１３の出力信号を監視して、操作者がメニュー操作を行う操作部材（メニューボタン２２）を操作したか否かの確認を行う。ここで、メニュー操作が確認された場合には、次のステップＴ３２の処理に進む。また、メニュー操作が確認されない場合には、ステップＴ３３の処理に進む。
【０１６７】
ステップＴ３２において、制御部１１は、ＲＯＭ１２から操作画面用データ１２ａを読み出すと共に表示制御部１７を介して表示部１８を制御して、表示部１８にメニュー表示を行うためのメニュー表示処理を実行する。この処理によって表示されるメニュー表示の具体的な形態としては、例えば図３（Ｂ）〜（Ｅ）で示す各操作画面１８ｂ〜１８ｅ等である。その後、ステップＴ３４の処理に進む。
【０１６８】
ステップＴ３３において、制御部１１は、カメラ２から送信されてくるモニタ画像データ（図５（Ａ）のステップＳ３３参照；後述する）を通信部１９，アンテナ５４を用いて受信し、このモニタ画像データに基いて表示部１８にモニタ画像を表示させる処理、即ちモニタ画像受信表示処理を実行する。その後、ステップＴ３６の処理に進む。
【０１６９】
ステップＴ３４において、制御部１１は、操作部１３を監視して撮影条件の変更操作がなされたか否かの確認を行う。ここで、撮影条件変更操作が確認された場合には、ステップＴ３５の処理に進む。また、撮影条件変更操作が確認されない場合には、ステップＴ３６の処理に進む。
【０１７０】
ステップＴ３５において、制御部１１は、上述のステップＴ３４の処理にて変更操作が行われた撮影条件に関する情報（撮影条件変更指示情報という）を送信する撮影条件送信処理を実行する。その後、ステップＴ３６の処理に進む。
【０１７１】
一方、カメラ２の撮影実行処理が実行されると、図５（Ａ）のステップＳ３１において、カメラ制御部３１は、カメラ通信部３９を監視して、コントローラ１から撮影条件変更指示情報（図５（Ｂ）の上記ステップＴ３５参照）が受信されたか否かの確認を行う。ここで、撮影条件変更指示情報の受信が確認された場合には、ステップＳ３２の処理に進む。また、撮影条件変更指示情報の受信が確認されない場合には、ステップＳ３３の処理に進む。
【０１７２】
ステップＳ３３において、カメラ制御部３１は、カメラ撮像部４５によって取得した画像データに基づくモニタ画像データの送信処理（図５（Ｂ）の上記ステップＴ３５参照）を実行する。その後、上述のステップＳ３１の処理に戻り、以降の処理を繰り返す。
【０１７３】
なお、上記ステップＳ３３の処理にて送信されるモニタ画像データは、上述したようにカメラ撮像部４５で取得される画像データに基づくデータが送信される。つまり、この送信処理において、実際に送信される画像データは、取得されたそのままの画像データでもよいし、リサイズ処理済みの画像データであってもよい。リサイズ処理の画像データを送信処理に供することにより、カメラ２やコントローラ１に搭載される小型の表示部１８で表示するのに適すると共に、データ送信にかかる負荷を軽減し高速に送信することができるという利点がある。
【０１７４】
ステップＳ３２において、カメラ制御部３１は、撮影条件変更処理を実行する。その後、ステップＳ３４の処理に進む。
【０１７５】
ステップＳ３４において、カメラ制御部３１は、カメラ通信部３９を監視してコントローラ１から撮影指示信号（図５（Ｂ）のステップＴ３７参照；後述する）を受信したか否かの確認を行う。ここで、撮影指示信号の受信が確認された場合には、ステップＳ３５の処理に進む。また、撮影指示信号の受信が確認されない場合には、上述のステップＳ３１の処理に戻り、以降の処理を繰り返す。
【０１７６】
つまり、カメラ２は、上述のステップＳ３１の処理にて撮影条件変更指示情報を受信するか、もしくは上述のステップＳ３４の処理にて撮影指示信号を受信するまでの間は、カメラ撮像部４５によって取得したモニタ画像をコントローラ１へと送信し続ける。
【０１７７】
図５（Ｂ）のコントローラ１の処理シーケンスに戻る。同図のステップＴ３６において、制御部１１は、操作部１３の出力信号を監視して、撮影操作がなされたか否かの確認を行う。ここで、撮影操作が確認された場合には、ステップＴ３７の処理に進む。また、撮影操作が確認されない場合には、上述のステップＴ３１の処理に戻り、以降の処理を繰り返す。
【０１７８】
ステップＴ３７において、制御部１１は、通信部１９を制御してカメラ２へと撮影指示信号を送信する撮影指示送信処理を実行する（図５（Ａ）の上記ステップＳ３４参照）。その後、ステップＴ３８の処理に進む。
【０１７９】
これを受けて、カメラ通信部３９がコントローラ１からの撮影指示信号を受信すると、カメラ制御部３１は、上述したようにステップＳ３５の処理に進む。
【０１８０】
ステップＳ３５において、カメラ制御部３１は、カメラ撮像部４５等を制御して撮影処理を実行する。
【０１８１】
この撮影処理によって取得された画像データは、カメラＲＡＭ３４に一時的に記憶される。その後、ステップＳ３６の処理に進む。
【０１８２】
ステップＳ３６において、カメラ制御部３１は、上述のステップＳ３５の処理にて取得されカメラＲＡＭ３４に一時記憶されている画像データ（レックビュー画像データ）をコントローラ１へと送信する処理を実行する。その後、ステップＳ３７の処理に進む。
【０１８３】
上記ステップＳ３６の処理で扱う送信用のレックビュー画像データは、リサイズ処理を施した画像データとしてもよい。また、ブラケット撮影を行った場合のレックビュー画像データの送信処理は、ブラケット撮影で得られた一連の複数画像をまとめて送信するようになっている。
【０１８４】
これを受けて、コントローラ１の制御部１１は、ステップＴ３８において、通信部１９を介してレックビュー画像データを受信し、受信したレックビュー画像データに基づく画像を表示部１８に表示する画像表示処理を実行する。その後、ステップＴ３９の処理に進む。
【０１８５】
ここで、上記ステップＳ３５の処理にて実行される撮影処理によって取得される画像データは、上述したように、コントローラ１へと送信されて当該コントローラ１の表示部１８に表示されることになる。
【０１８６】
この場合において、コントローラ１の表示部１８に表示されるレックビュー画像の表示例を以下に説明する。
【０１８７】
図８は、本実施形態のカメラシステムにおけるコントローラの表示部に表示されるレックビュー画像の一表示例を示す図である。
【０１８８】
図８に示すレックビュー画像は、カメラ２の撮影条件設定を、ＡＥブラケット撮影モードのＳモードとし、その場合の設定値を「３段階  −１．０〜＋１．０ＥＶ」とした場合に撮影処理を行って取得された複数の画像データに基いて表示される表示画面の例である。
【０１８９】
このうち、図８（Ａ）は、基準露出値からマイナス側に１．０ＥＶだけ変位させた露出値（−１．０ＥＶ）での撮影画像の表示画面１８ｆである。この表示画面１８ｆでは、当該条件で撮影された画像データに基づく画像が表示部１８の表示画面の全領域を用いて表示されている。そして、この画像に付加されている撮影情報、例えば絞り値，シャッター速度値，露出の変位量（ＥＶ値），ＩＳＯ感度値，ＷＢ設定値，画像番号（コマ番号）等が、当該表示画像に重畳させて、文字等を用いた形態で表示されている。
【０１９０】
これに加えて、表示画面の左下隅部近傍には、左右方向を指示するマークが表示されている。この左右指示マークは、表示画像の切り換えを行うための指標である。
【０１９１】
操作者は、この表示画面１８ｆの表示中に、例えば四方向選択ボタン２１のうち左方向選択ボタン２１Ｌ又は右方向選択ボタン２１Ｒを操作することで、表示中の画像の切り換えを行うことができるようになっている。
【０１９２】
例えば、図８（Ａ）の表示画面１８ｆの表示中に、例えば右方向選択ボタン２１Ｒを操作すると、表示部１８の表示が、図８（Ｂ）に示す表示画面１８ｇに切り換わる。また、左方向選択ボタン２１Ｌを操作すると、表示部１８の表示が、直前の画像の表示画面（図示せず）に切り換わる。
【０１９３】
表示画面１８ｇは、基準露出値（±０ＥＶ）での撮影画像である。この表示画面１８ｇの表示形態は、上述の図８（Ａ）の表示画面１８ｆと全く同様に、撮影画像データに基づく画像と、その画像の付加情報と、左右指示マークが表示されている。
【０１９４】
操作者は、この表示画面１８ｇの表示中に、右方向選択ボタン２１Ｒを操作すると、表示部１８の表示が、図８（Ｃ）に示す表示画面１８ｈに切り換わる。また、左方向選択ボタン２１Ｌを操作すると、表示部１８の表示が、前の図８（Ａ）の表示画面１８ｆに切り換わる。
【０１９５】
この表示画面１８ｈは、基準露出値からプラス側に１．０ＥＶだけ変位させた露出値（＋１．０ＥＶ）での撮影画像である。この表示画面１８ｈの表示形態も、上述の図８（Ａ），（Ｂ）の表示画面１８ｆ，１８ｇと全く同様に、撮影画像データに基づく画像と、その画像の付加情報と、左右指示マークが表示されている。
【０１９６】
操作者は、この表示画面１８ｊの表示中に、右方向選択ボタン２１Ｒを操作すると、表示部１８の表示が、次の表示画面（図示せず）に切り換わる。また、左方向選択ボタン２１Ｌを操作すると、表示部１８の表示が、前の図８（Ｂ）の表示画面１８ｇに切り換わる。
【０１９７】
一方、図９は、本実施形態のカメラシステムにおけるコントローラの表示部に表示されるレックビュー画像の別の表示例を示す図である。
【０１９８】
図９に示すレックビュー画像は、カメラ２の撮影条件設定を、ＭＦブラケット撮影モードとし、その場合の設定値を「３段階  −１．０〜＋１．０ＥＶ」とした場合に撮影処理を行って取得された複数の画像データに基いて表示される表示画面の例である。
【０１９９】
このうち、図９（Ａ）は、基準フォーカス位置からマイナス側に１ステップだけ変位させたフォーカス位置（−１ステップ）での撮影画像の表示画面１８ｉである。この表示画面１８ｉでも、上述の図８の各表示画面１８ｆ，１８ｇ，１８ｈと同様に、撮影画像データに基づく画像と、その画像の付加情報と、左右指示マークが表示されている。なお、この場合において、撮影画像データの付加情報としては、上述の露出の変位量（ＥＶ値）に代えて、フォーカス位置の変位量（ステップ数）が表示されている点のみ異なる。
【０２００】
操作者は、図９（Ａ）の表示画面１８ｉの表示中に、例えば右方向選択ボタン２１Ｒを操作すると、表示部１８の表示が、図９（Ｂ）に示す表示画面１８ｊに切り換わる。また、左方向選択ボタン２１Ｌを操作すると、表示部１８の表示が、直前の画像の表示画面（図示せず）に切り換わる。
【０２０１】
表示画面１８ｊは、基準フォーカス位置（０ステップ）での撮影画像である。この表示画面１８ｊの表示形態は、上述の図９（Ａ）の表示画面１８ｉと全く同様に、撮影画像データに基づく画像と、その画像の付加情報と、左右指示マークが表示されている。
【０２０２】
操作者は、この表示画面１８ｊの表示中に、右方向選択ボタン２１Ｒを操作すると、表示部１８の表示が、図９（Ｃ）に示す表示画面１８ｋに切り換わる。また、左方向選択ボタン２１Ｌを操作すると、表示部１８の表示が、前の図９（Ａ）の表示画面１８ｉに切り換わる。
【０２０３】
この表示画面１８ｋは、基準フォーカス位置からプラス側に１ステップだけ変位させたフォーカス位置（＋１ステップ）での撮影画像である。この表示画面１８ｋの表示形態も、上述の図９（Ａ），（Ｂ）の表示画面１８ｉ，１８ｊと全く同様に、撮影画像データに基づく画像と、その画像の付加情報と、左右指示マークが表示されている。
【０２０４】
操作者は、この表示画面１８ｋの表示中に、右方向選択ボタン２１Ｒを操作すると、表示部１８の表示が、次の表示画面（図示せず）に切り換わる。また、左方向選択ボタン２１Ｌを操作すると、表示部１８の表示が、前の図９（Ｂ）の表示画面１８ｊに切り換わる。
【０２０５】
図１２も、本実施形態のカメラシステムにおけるコントローラの表示部に表示されるレックビュー画像の別の変形例を示す図である。
【０２０６】
図１２に示すレックビュー画像は、一連の撮影によって取得された複数の画像データに基いて表示される表示画面の例である。一連の撮影とは、例えばカメラ２の撮影条件設定を図３（Ｂ）で示す連写撮影モードとした場合の撮影や、短時間で複数枚の撮影が行われたような場合である。そして、図１２では、画像番号Ｎｏ．４０，Ｎｏ．４１，Ｎｏ．４２の３枚の画像が一連の撮影によるものとして示している。これらの撮影は、画角や被写体の変化に応じて、異なるフォーカス位置やシャッター速度値で行われている。操作者は、右方向選択ボタン２１Ｒや左方向選択ボタン２１Ｌを操作することで、画面に表示される画像を（Ａ）〜（Ｃ）のいずれかに切り換えることができる。
【０２０７】
図５（Ｂ）のコントローラ１の処理シーケンスに戻る。ステップＴ３９において、制御部１１は、操作部１３の出力信号を監視して、操作者により画像の選択操作が行われたか否かの確認を行う。ここで、画像選択操作が確認された場合には、ステップＴ４０の処理に進む。また、画像選択操作が確認されない場合には、一連の処理を終了し、図４（Ｂ）の元の処理シーケンスに戻る（リターン）。
【０２０８】
この画像選択操作は、上述の図８，図９で示す表示画面１８ｆ〜１８ｋの表示中に、例えば決定ボタン２１ａを押圧操作すると、そのとき表示中の画像データに選択した旨の情報が付加される。図１２で示す表示画面でも同様である。
【０２０９】
次いで、ステップＴ４０において、操作者は、上述のステップＴ３９の処理にて選択された画像についての処理条件を選択する操作を行う。そのために、制御部１１は、図１０（Ａ）に示す形態の処理条件選択操作画面を表示部１８に表示させる制御を行う。その後、ステップＴ４１の処理に進む。
【０２１０】
ステップＴ４１において、制御部１１は、通信部１９を制御して選択画像に関する情報を送信する処理を行う。その後、一連の処理を終了し、図４（Ｂ）の元の処理シーケンスに復帰する（リターン）。
【０２１１】
ここで、図１０は、（Ａ）ステップＴ４０の処理における処理条件選択操作画面と、（Ｂ）ステップＴ４１の処理における選択画像情報送信画面と、の操作画面の表示例を示す図である。
【０２１２】
上述したように、ステップＴ４０の処理条件選択処理が実行されると、図１０（Ａ）に示す処理条件選択操作画面１８ｍが表示部１８に表示される。
【０２１３】
この処理条件選択操作画面１８ｍは、選択し得る処理条件の一覧を示すと共に、その近傍にチェック欄１８ｍａが表示されるようになっている。
【０２１４】
図１０（Ａ）の例示では、選択し得る処理条件として、例えば、
（１）「撮影条件を選択画像の条件に設定する」処理を指示する条件
（２）「選択画像以外の（画像データ）を消去する」処理を指示する条件
などがある。つまり、上記（１）項の指示は、上述のステップＴ３９で選択した画像に設定されている各種の撮影条件をカメラ２の撮影条件として設定する処理を指示するものである。（２）項の指示は、選択した画像以外の画像データをカメラ２から消去し、選択した画像の画像データのみを保存する処理を指示するものである。
【０２１５】
この処理条件選択操作画面１８ｍａにおいて、操作者が四方向選択ボタン２１を操作すると、選択すべき処理条件の項目に対応するチェック欄１８ｍａの間を指示カーソルが移動するようになっている。操作者は、選択を所望する項目に指示カーソルを合わせて所定の操作部材（図示せず）を押圧する等の操作によって当該チェック欄１８ｍａをチェックする。
【０２１６】
例えば、図１０（Ａ）に示す例は、非選択状態で白抜き表示（この状態は図示していない）の菱形形状のチェック欄１８ｍａに対し、チェック操作することで反転表示（黒塗り表示；図示の状態）とする場合の例である。
【０２１７】
そして、最後に決定ボタン２１ａを押圧操作することにより、上記ステップＴ４１の選択画像情報送信処理が実行されて、図１０（Ｂ）に示す選択画像情報送信画面１８ｎが表示部１８に表示される。
【０２１８】
選択画像情報送信画面１８ｎにおいては、選択画像データに基づく画像そのものと、この画像に重畳させて、当該選択画像の撮影条件データの情報表示１８ｎａと、データ送信中であることを示すアイコン表示１８ｎｂと、非選択画像の消去可を表すアイコン表示１８ｎｃ（図１０（Ｂ）では「Ｅ」マーク）等が表示される。
【０２１９】
なお、選択画像に関する情報としては、例えば
（１）画像データ
（２）画像データのファイル名
（３）画像番号（コマ番号）
（４）撮影条件に関する情報（例えばＥｘｉｆ情報等）
である。なお、上記画像番号は、例えばカメラ２の撮影動作によって取得される画像データに関する情報として撮影日時順に付される番号情報であって、画像データに付されて記録されるものである。
【０２２０】
上述のようにして、コントローラ１から選択画像に関する情報が送信されると（図５（Ｂ）のステップＴ４１）、これを受けて、カメラ２のカメラ制御部３１は、図５（Ａ）のステップＳ３７において、選択画像に関する情報を受信したか否かの確認を行う。ここで、選択画像に関する情報の受信が確認された場合には、ステップＳ３８の処理に進む。また、同情報の受信が確認されない場合には、一連の処理を終了し、図４（Ａ）の元の処理シーケンスに復帰する（リターン）。
【０２２１】
ステップＳ３８において、カメラ制御部３１は、受信した情報のうち処理条件として他の画像、つまり選択画像以外の画像データを消去する旨の指示が含まれているか否かの確認を行う。ここで、他の画像の消去指示が確認された場合には、ステップＳ３９の処理に進む。また、同消去指示が確認されない場合には、ステップＳ４０の処理に進む。
【０２２２】
ステップＳ３９において、カメラ制御部３１は、カメラＲＡＭ３４上に一時的に記憶されている画像データのうち選択画像以外の画像データ（他の画像）を消去する処理を実行する。その後、ステップＳ４０の処理に進む。
【０２２３】
ステップＳ４０において、カメラ制御部３１は、上述のステップＳ３７の処理で受信した情報にカメラ２の撮影条件の設定を指示する旨の情報が含まれているか否かの確認を行う。ここで、撮影条件設定指示が確認された場合には、ステップＳ４１の処理に進む。また、撮影条件設定指示が確認されない場合には、一連の処理を終了し、図４（Ａ）の元の処理シーケンスに復帰する（リターン）。
【０２２４】
ステップＳ４１において、カメラ制御部３１は、撮影条件設定処理を実行する。この撮影条件設定処理が終了した後、一連の処理を終了し、図４（Ａ）の元の処理シーケンスに復帰する（リターン）。
【０２２５】
次に、上述のステップＳ４１の処理における撮影条件設定処理について、図６を用いて詳述する。
【０２２６】
図６は、本実施形態のカメラシステムの作用のうちカメラの撮影条件設定処理の詳細を示すフローチャートである。
【０２２７】
まず、ステップＳ５１において、カメラ制御部３１は、上述の図５（Ａ）のステップＳ３７の処理で受信した選択画像に関する情報が画像データであるか否かの確認を行う。選択画像に関する情報が画像データである場合には、ステップＳ５２の処理に進む。また、選択画像に関する情報が画像データではない場合には、ステップＳ５４の処理に進む。
【０２２８】
ステップＳ５２において、カメラ制御部３１は、受信した画像データに付随する情報、例えばＥｘｉｆ情報のうち所定の撮影条件についての情報を読み出す処理を行う。その後、ステップＳ５３の処理に進む。
【０２２９】
ステップＳ５３において、カメラ制御部３１は、上述のステップＳ５２の処理で読み出した撮影条件情報に基いて、カメラ２の撮影条件を設定する処理を実行する。その後、一連の処理を終了し、図５（Ａ）の元の処理シーケンスに復帰する（リターン）。
【０２３０】
一方、上述のステップＳ５１の処理において、選択画像に関する情報が画像データではないと判断されて、ステップＳ５４の処理に進むと、このステップＳ５４において、カメラ制御部３１は、選択画像に関する情報が画像ファイル名又は画像番号であるか否かの確認を行う。ここで、選択画像に関する情報が画像ファイル名又は画像番号であることが確認された場合には、ステップＳ５５の処理に進む。また、選択画像に関する情報が画像ファイル名又は画像番号ではないことが確認された場合には、ステップＳ５７の処理に進む。
【０２３１】
ステップＳ５５において、カメラ制御部３１は、最新のメニューデータを記憶する処理を実行する。その後、ステップＳ５６の処理に進む。このメニューデータとは、撮影済み画像データの一覧情報のデータである。
【０２３２】
次いで、ステップＳ５６において、カメラ制御部３１は、受信した画像ファイル名又は画像番号に対応する画像データに付随する情報、例えばＥｘｉｆ情報のうち撮影条件情報を読み出す処理を行う。その後、上述のステップＳ５３の処理に進み、以降同様に上述の処理を実行する。
【０２３３】
また、上述のステップＳ５４の処理において、選択画像に関する情報が画像ファイル名又は画像番号ではないと判断されて、ステップＳ５７の処理に進むと、このステップＳ５７において、カメラ制御部３１は、選択画像に関する情報が撮影条件データであるか否かの確認を行う。ここで、選択画像に関する情報が撮影条件データであることが確認された場合には、ステップＳ５３の処理に進み、以降同様に上述の処理を実行する。また、選択画像に関する情報が撮影条件データではないことが確認された場合には、ステップＳ５８の処理に進む。
【０２３４】
ステップＳ５８において、カメラ制御部３１は、選択画像に関する情報についての有効な情報が含まれていないものと判断し、所定のエラー処理を実行する。このエラー処理としては、その旨の警告表示を表示部１８に表示させる等の処理である。その後、一連の処理を終了し、図５（Ａ）の元の処理シーケンスに復帰する（リターン）。
【０２３５】
なお、図６に示す本実施形態のカメラシステムにおけるカメラの撮影条件設定処理においては、撮影条件データが、画像データ，画像ファイル名又は画像番号，撮影条件データの４つの条件のいずれかひとつが含まれているとき、その条件の設定を行うようにしている。しかしながら、この撮影条件設定処理は、これに限ることはなく、例えば撮影条件データの４つの条件の全てを確認することなく、上記４つの条件のうちいずれか１つを確認し、その１つの条件が確認された場合にのみ、撮影条件設定処理を行うようにしてもよい。その場合、いずれの条件を採用するかは、個々のカメラシステムにおける設計項目である。また、上記４つの条件のみに限ることはなく、撮影条件データとして、他の要素を考慮してもよいのは当然である。
【０２３６】
次に、図４（Ａ）の再生実行処理と図４（Ｂ）の再生指示処理の詳細を、図７を用いて以下に説明する。
【０２３７】
図７は、本実施形態のカメラシステムにおける作用のうちカメラの再生実行処理とコントローラの再生指示処理の詳細を示すフローチャートである。
【０２３８】
まず、上述の図４（Ｂ）のステップＴ１８の処理で再生コントロールモードの設定をカメラ２に送信後、同図ステップＴ２０の処理に進むと、このステップＴ２０において、コントローラ１の制御部１１は再生指示処理（詳細は図７（Ｂ）の処理）を実行する。
【０２３９】
また、上述の図４（Ａ）のステップＳ１５の処理でカメラ２が再生モードに設定されていることが確認されて、同図ステップＳ１７の処理に進むと、このステップＳ１７において、カメラ２のカメラ制御部３１は再生実行処理（詳細は図７（Ａ）の処理）を実行する。
【０２４０】
上述のようにして、コントローラ１で上記再生指示処理の実行が開始されると、まず、図７（Ｂ）のステップＴ６１において、制御部１１は、操作部１３の出力信号を監視して操作者による表示画面切換操作が行われたか否かの確認を行う。ここで、表示画面切換操作の確認がなされた場合には、ステップＴ６２の処理に進む。また、表示画面切換操作が確認されない場合には、ステップＴ６３の処理に進む。
【０２４１】
ステップＴ６２において、制御部１１は、通信部１９を制御して画像の切り換えを指示する指示信号を送信する処理を実行する。その後、ステップＴ６３の処理に進む。
【０２４２】
上述のようにして、カメラ２で上記再生実行処理の実行が開始されると、カメラ制御部３１は、ステップＴ６３において、カメラ通信部３９を介して画像切換信号が受信されたか否かの確認をおこなう。ここで、コントローラ１からの画像切換指示信号が確認された場合には、次のステップＳ６２の処理に進む。また、画像切換指示信号が確認されない場合には、ステップＳ６３の処理に進む。
【０２４３】
ステップＳ６２において、カメラ制御部３１は、受信した画像切換指示に従って指示された画像データの送信処理を実行する。その後、ステップＳ６３の処理に進む。
【０２４４】
これを受けて、コントローラ１の制御部１１は、ステップＴ６３において、画像データの受信を行い、この受信した画像データに基づく画像を表示部１８に表示する処理を実行する。その後、ステップＴ６４の処理に進む。
【０２４５】
ステップＴ６４において、制御部１１は、画像選択操作がなされたか否かの確認を行う。ここで、画像選択操作が確認された場合には、ステップＴ６５の処理に進む。また、画像選択操作が確認されない場合には、一連の処理を終了し、図４（Ｂ）の元の処理シーケンスに復帰する（リターン）。
【０２４６】
一方、ステップＴ６５において、制御部１１は処理条件を選択する処理を実行する。その後、ステップＴ６６の処理に進む。
【０２４７】
ステップＴ６６において、制御部１１は、選択画像に関する情報を送信する処理を実行する。その後、一連の処理を終了し、図４（Ｂ）の元の処理シーケンスに復帰する（リターン）。
【０２４８】
ここで、選択画像に関する情報が送信される際のコントローラ１の表示部１８には、例えば図１１（Ａ），（Ｂ）に示す如く、選択された画像データに基づく画像が表示されると共に、この画像に関する情報、例えば撮影時の各種の設定情報であってその画像データに付される各種の情報等が重畳表示される。さらに、送信動作中を示すアイコンが動画像に重畳表示される。
【０２４９】
なお、図１１はコントローラ１の選択画像情報送信処理時における表示部の表示例を示す図である。このうち、図１１（Ａ），（Ｂ）は選択された画像をそれぞれ示しており、送信順に表示部１８の表示が切り換わることを示している。
【０２５０】
一方、カメラ制御部３１は、ステップＳ６３において、選択画像に関する情報を受信したか否かの確認を行う。この選択画像に関する情報は、コントローラ１の制御部１１から上述のステップＴ６６の処理にて送信される情報である。ここで、選択画像に関する情報の受信が確認された場合には、ステップＳ６４の処理に進む。また、選択画像に関する情報の受信が確認されない場合には、一連の処理を終了し、図４（Ａ）の元の処理シーケンスに復帰する（リターン）。
【０２５１】
ステップＳ６４において、カメラ制御部３１は、受信した情報に他の画像、つまり選択画像以外の画像データを消去する旨の指示が含まれているか否かの確認を行う。ここで、画像消去指示が確認された場合には、ステップＳ６５の処理に進む。また、画像消去指示が確認されない場合には、ステップＳ６６の処理に進む。
【０２５２】
ステップＳ６５において、カメラ制御部３１は、画像消去指示に基づく画像消去処理を実行する。その後、ステップＳ６６の処理に進む。
【０２５３】
ステップＳ６６において、カメラ制御部３１は、受信した情報にカメラ２の撮影条件の設定を指示する旨の情報が含まれているか否かの確認を行う。ここで、撮影条件設定指示が確認された場合には、ステップＳ６７の処理に進む。また、撮影条件設定指示が確認されない場合には、一連の処理を終了し、図４（Ｂ）の元の処理シーケンスに復帰する（リターン）。
【０２５４】
ステップＳ６７において、カメラ制御部３１は、撮影条件設定処理を実行する。この撮影条件設定処理は、図６に示すフローチャートの処理である。図６のフローチャートについては、すでに説明済みであるので、その詳細な説明はここでは省略する。撮影条件設定処理が終了した後、一連の処理を終了し、図４（Ａ）の元の処理シーケンスに復帰する（リターン）。
【０２５５】
以上説明したように上記第１の実施形態によれば、カメラ２と、このカメラ２を外部から制御するコントローラ１とからなるカメラシステムにおいて、カメラ２は、コントローラ１との間で画像データを含む情報を通信するカメラ通信部３９と、コントローラ１から送信されてくる指示信号にしたがってカメラ２を制御するリモート制御部３１ａとを備えて構成される。コントローラ１は、カメラ２との間で画像データを含む情報を通信する通信部１９と、カメラ２から送信された画像データを受信して、この受信した画像データに基く画像を表示させる表示部１８と、カメラ２から送信された画像データを受信し、その画像データの中から操作者の指示操作によって選択された画像データに関する情報を通信部１９を介してカメラ２へと送信する制御を行う撮影条件指示制御部１１ｂとを備えて構成している。
【０２５６】
そして、この構成において、カメラ通信部３９は、コントローラ１から送信された画像データに関する情報を受信し、リモート制御部３１ａは、上記カメラ通信部３９が受信した画像データに関する情報のうち撮影条件データに基いて同一の撮影条件をカメラ２に一括して設定するように構成している。
【０２５７】
このような構成によれば、操作者は、コントローラ１の表示部１８に表示される画像から所望の画像を選択操作するだけで、その選択画像の画像データに関する情報と同一の撮影条件がカメラ２に設定することができる。したがって、コントローラ１でカメラ２を遠隔制御して撮影を行う場合においても、カメラ２の撮影条件を設定するのに複雑な操作を伴わずに極めて簡単に行うことができる。しかも、複数項目の撮影条件が一括で設定されることになるので、操作者が一項目毎に手動で設定するのに比べて設定ミス等の心配がない。
【０２５８】
また、カメラ２のリモート制御部が、コントローラ１から送信される画像データに関する情報として、その画像データのファイル名又は画像番号を受信した場合には、カメラＲＡＭ３４やカメラ記録媒体部３６に記録されている画像データの中から対応するファイル名又は画像番号を持つ画像データから必要な画像データに関する情報（撮影条件データ等）を読み出して、これに基づく撮影条件の設定を行うようにしている。
【０２５９】
したがって、上述のように画像データに関する情報として、ファイル名や画像番号の情報だけを送信するような構成とすれば、通信にかかる時間を短縮化することができ、よって迅速にカメラ２の撮影条件を設定することができるという利点がある。
【０２６０】
さらに、カメラ２のリモート制御部が、コントローラ１から送信される画像データに関する情報として、その画像データの撮影条件データを受信した場合には、カメラ２の撮影条件の設定をするのに受信したデータを直接利用することができるので迅速化に寄与することができる。また、カメラ２の側に、対応する画像データ自体が保存されていない場合にも受信した撮影条件を利用してカメラ２の撮影条件の設定を行うことができる。
【０２６１】
一方、コントローラ１においては、画像の選択を行う際に、（操作者が不要であると判断した）所定の画像データを消去する旨の指示を附しておくことができるようにされている。これにより、リモート制御部３１ａは、受信した画像データがブラケット撮影や連写撮影によって得られた画像データである場合に、受信した画像データ以外の画像データを消去する指示が含まれていれば、ブラケット撮影や連写撮影による一連の画像データの中から選択画像以外の画像データを不要な画像データとして自動的に削除することができる。したがって、カメラ２のカメラ記録媒体部３６やカメラＲＡＭ３４等の記憶容量を有効に利用することができるようになる。
【０２６２】
また、上記自動削除の機能がない場合には、撮影した画像データの全てが記録されることになるが、大量に記録された画像データの中から不要な画像データを削除する等の撮影後における作業を省略することができ、よって、カメラシステムの効率的な運用を行うことができる。
【０２６３】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０２６４】
【図１】本発明の一実施形態のカメラシステム全体の概略構成を示すシステム構成図。
【図２】図１のカメラシステムにおけるコントローラとカメラとのそれぞれの内部構成の概略を示すブロック構成図。
【図３】図１のカメラシステムにおけるコントローラの表示部に表示される操作画面の表示例であって、（Ａ）〜（Ｅ）により表示部の操作画面の表示が操作者の操作に従って変化する際の様子を示す図。
【図４】図１のカメラシステムにおいて、コントローラを用いてカメラを遠隔操作しカメラを制御する際の作用を示すフローチャート。
【図５】図１のカメラシステムにおいて、コントローラの撮影指示処理（図４（Ｂ）のステップＴ１９の処理）とカメラの撮影実行処理（図４（Ａ）のステップＳ１６の処理）とを並べて示すフローチャート。
【図６】図１のカメラシステムの作用のうちカメラの撮影条件設定処理の詳細を示すフローチャート。
【図７】図１のカメラシステムにおける作用のうちカメラの再生実行処理とコントローラの再生指示処理の詳細を示すフローチャート。
【図８】図１のカメラシステムにおけるコントローラの表示部に表示されるレックビュー画像の一表示例を示す図。
【図９】図１のカメラシステムにおけるコントローラの表示部に表示されるレックビュー画像の別の表示例を示す図。
【図１０】図１のカメラにシステムにおけるコントローラの表示部に表示される処理条件選択操作画面（図５（Ｂ）のステップＴ４０の処理）と選択画像情報送信画面（図５（Ｂ(31)）のステップＴ４１の処理）との各操作画面の表示例を示す図。
【図１１】図１のカメラシステムにおけるコントローラの選択画像情報送信処理時の表示部の表示例を示す図。
【図１２】図１のカメラシステムにおけるコントローラの表示部に表示されるレックビュー画像の別の変形例を示す図。
【符号の説明】
【０２６５】
１……コントローラ
２……カメラ
１１……制御部
１１ｂ……撮影条件指示制御部
１４……ＲＡＭ
１６……記録媒体部
１７……表示制御部
１８……表示部
１９……通信部
２１……四方向選択ボタン
２１ａ……決定ボタン
２２……メニューボタン
３１……カメラ制御部
３１ａ……リモート制御部
３４……カメラＲＡＭ
３６……カメラ記録媒体部
３７……カメラ表示制御部
３８……カメラ表示部
３９……カメラ通信部
４１……四方向選択ボタン
４２……情報表示部
４３……交換レンズ部
４４……カメラアンテナ
４５……カメラ撮像部
５４……アンテナ
【図１】
2012151901.tif 000003
【図２】
2012151901.tif 000004
【図３】
2012151901.tif 000005
【図４】
2012151901.tif 000006
【図５】
2012151901.tif 000007
【図６】
2012151901.tif 000008
【図７】
2012151901.tif 000009
【図８】
2012151901.tif 000010
【図９】
2012151901.tif 000011
【図１０】
2012151901.tif 000012
【図１１】
2012151901.tif 000013
【図１２】
2012151901.tif 000014